【手続補正書】
【提出日】令和2年12月16日(2020.12.16)
【手続補正１】
【補正対象書類名】明細書
【補正対象項目名】発明の名称
【補正方法】変更
【補正の内容】
【発明の名称】画像処理装置、画像処理装置の制御方法、プログラム、画像形成装置及び画像形成装置の制御方法
【手続補正２】
【補正対象書類名】明細書
【補正対象項目名】０００１
【補正方法】変更
【補正の内容】
【０００１】
本発明は、複合機などの画像処理装置、画像処理装置の制御方法、プログラム、画像形成装置及び画像形成装置の制御方法に関する。
【手続補正３】
【補正対象書類名】明細書
【補正対象項目名】００２０
【補正方法】変更
【補正の内容】
【００２０】
本発明は上記従来の問題点に鑑み、次のような、画像処理装置、画像処理装置の制御方法、プログラム、画像形成装置及び画像形成装置の制御方法を提供することを目的とする。即ち、ログインしたユーザに応じて、ジョブやリソースに対するアクセス制限が可能なように構成されている装置において、ユーザの認証情報入力の回数を軽減させ、利便性を向上させるようにする。
【手続補正４】
【補正対象書類名】明細書
【補正対象項目名】００２２
【補正方法】変更
【補正の内容】
【００２２】
上記目的を達成するために、請求項１に記載の画像処理装置は、コピー機能を含む複数の機能を有する画像処理装置であって、ユーザのための第１のログイン処理を実行する第１の実行手段と、前記複数の機能から機能を選択する指示を受け付ける受付手段と、前記ユーザが前記第１のログイン処理に応じてログインし、且つ前記選択された機能を使用する権限を有するとき、前記ユーザに前記選択された機能の使用を許可する第１の許可手段と、前記ユーザが前記第１のログイン処理に応じてログインし、且つ前記選択された機能を使用する権限を有さないとき、表示部にログイン情報を入力するための画面を表示する表示手段と、前記画面を介して入力されたログイン情報に基づいて前記ユーザのための第２のログイン処理を実行する第２の実行手段と、前記ユーザが前記第２のログイン処理に応じてログインし、且つ前記選択された機能を使用する権限を有するとき、前記ユーザに前記選択された機能の使用を許可し、前記ログイン情報が前記画面を介して入力され、且つ前記ユーザが前記選択された機能を使用する権限を有さないとき、前記ユーザに前記選択された機能の使用を許可しない第２の許可手段と、を備えることを特徴とする。
【手続補正５】
【補正対象書類名】特許請求の範囲
【補正対象項目名】全文
【補正方法】変更
【補正の内容】
【特許請求の範囲】
【請求項１】
コピー機能を含む複数の機能を有する画像処理装置であって、
ユーザのための第１のログイン処理を実行する第１の実行手段と、
前記複数の機能から機能を選択する指示を受け付ける受付手段と、
前記ユーザが前記第１のログイン処理に応じてログインし、且つ前記選択された機能を使用する権限を有するとき、前記ユーザに前記選択された機能の使用を許可する第１の許可手段と、
前記ユーザが前記第１のログイン処理に応じてログインし、且つ前記選択された機能を使用する権限を有さないとき、表示部にログイン情報を入力するための画面を表示する表示手段と、
前記画面を介して入力されたログイン情報に基づいて前記ユーザのための第２のログイン処理を実行する第２の実行手段と、
前記ユーザが前記第２のログイン処理に応じてログインし、且つ前記選択された機能を使用する権限を有するとき、前記ユーザに前記選択された機能の使用を許可し、前記ログイン情報が前記画面を介して入力され、且つ前記ユーザが前記選択された機能を使用する権限を有さないとき、前記ユーザに前記選択された機能の使用を許可しない第２の許可手段と、
を備えることを特徴とする画像処理装置。
【請求項２】
前記第２のログイン処理に応じてログインしたユーザが、前記複数の機能における前記選択された機能とは別の第２の機能を使用する権限を有さない場合において、前記ユーザが前記第２のログイン処理に応じてログインし、且つ前記選択された機能を使用する権限を有するとき、前記第２のログイン処理に応じてログインしたユーザが前記第２の機能を実行できないことを示す画面が表示されることを特徴とする請求項１に記載の画像処理装置。
【請求項３】
前記画像処理装置が起動された際に、前記ユーザのための前記第１のログイン処理が自動的に実行されることを特徴とする請求項１又は２に記載の画像処理装置。
【請求項４】
前記選択された機能はコピー機能を含むことを特徴とする請求項１乃至３のいずれか１項に記載の画像処理装置。
【請求項５】
前記選択された機能はネットワーク管理機能であることを特徴とする請求項１乃至３のいずれか１項に記載の画像処理装置。
【請求項６】
前記ログイン情報が前記画面を介して入力され、且つ前記ユーザが前記選択された機能を使用する権限を有さないとき、前記ユーザは前記第２のログイン処理に応じて前記画像処理装置にログインしないことを特徴とする請求項１乃至５のいずれか１項に記載の画像処理装置。
【請求項７】
ユーザが前記画像処理装置へログインする権限を有するか否かは、少なくとも前記第２のログイン処理における決定によって決まり、
前記ユーザが前記選択された機能の使用を許可されるか否かの少なくとも一部は、少なくとも前記第２のログイン処理における決定によって決まることを特徴とする請求項１乃至６のいずれか１項に記載の画像処理装置。
【請求項８】
特定のユーザによって使用されることが許可される一以上の機能を示す機能情報は前記画像処理装置に格納され、
前記少なくとも前記第２のログイン処理における決定は、前記画面を介して入力された前記ログイン情報に含まれるユーザ特定情報及び前記格納された機能情報に基づいて実行されることを特徴とする請求項７に記載の画像処理装置。
【請求項９】
前記第１のログイン処理は、前記画像処理装置が起動された際に実行されることを特徴とする請求項１乃至８のいずれか１項に記載の画像処理装置。
【請求項１０】
前記第１のログイン処理の対象となる前記ユーザは、匿名ユーザであることを特徴とする請求項１乃至９のいずれか１項に記載の画像処理装置。
【請求項１１】
コピー機能を含む複数の機能を有する画像処理装置の制御方法であって、
ユーザのための第１のログイン処理を実行する第１の実行工程と、
前記複数の機能から機能を選択する指示を受け付ける受付工程と、
前記ユーザが前記第１のログイン処理に応じてログインし、且つ前記選択された機能を使用する権限を有するとき、前記ユーザに前記選択された機能の使用を許可する第１の許可工程と、
前記ユーザが前記第１のログイン処理に応じてログインし、且つ前記選択された機能を使用する権限を有さないとき、表示部にログイン情報を入力するための画面を表示する表示工程と、
前記画面を介して入力されたログイン情報に基づいて前記ユーザのための第２のログイン処理を実行する第２の実行工程と、
前記ユーザが前記第２のログイン処理に応じてログインし、且つ前記選択された機能を使用する権限を有するとき、前記ユーザに前記選択された機能の使用を許可し、前記ログイン情報が前記画面を介して入力され、且つ前記ユーザが前記選択された機能を使用する権限を有さないとき、前記ユーザに前記選択された機能の使用を許可しない第２の許可工程と、
を有することを特徴とする制御方法。
【請求項１２】
コピー機能を含む複数の機能を有する画像処理装置の制御方法をコンピュータに実行させることを特徴とするプログラムであって、
前記制御方法は、
ユーザのための第１のログイン処理を実行する第１の実行工程と、
前記複数の機能から機能を選択する指示を受け付ける受付工程と、
前記ユーザが前記第１のログイン処理に応じてログインし、且つ前記選択された機能を使用する権限を有するとき、前記ユーザに前記選択された機能の使用を許可する第１の許可工程と、
前記ユーザが前記第１のログイン処理に応じてログインし、且つ前記選択された機能を使用する権限を有さないとき、表示部にログイン情報を入力するための画面を表示する表示工程と、
前記画面を介して入力されたログイン情報に基づいて前記ユーザのための第２のログイン処理を実行する第２の実行工程と、
前記ユーザが前記第２のログイン処理に応じてログインし、且つ前記選択された機能を使用する権限を有するとき、前記ユーザに前記選択された機能の使用を許可し、前記ログイン情報が前記画面を介して入力され、且つ前記ユーザが前記選択された機能を使用する権限を有さないとき、前記ユーザに前記選択された機能の使用を許可しない第２の許可工程と、
を有することを特徴とするプログラム。
【請求項１３】
複数の印刷関連機能を有する画像形成装置であって、
前記複数の印刷関連機能から機能を選択するためのユーザの指示をユーザから受け付ける第１の受付手段と、
前記ユーザの指示を受け付けた後に前記ユーザのログイン処理を実行する実行手段と、
前記ログイン処理の結果に基づいて前記ユーザへ前記選択された機能の使用を許可する許可手段と、
前記複数の印刷関連機能のうち前記ログイン処理を必要としない機能の設定のための信号を受け付ける第２の受付手段と、
を備えることを特徴とする画像形成装置。
【請求項１４】
前記信号を受け付けた際に、匿名ユーザへ前記選択された機能の使用が許可されることを特徴とする請求項１３に記載の画像形成装置。
【請求項１５】
前記複数の印刷関連機能は、画像を印刷するためにシートから前記画像を読み取る機能を含むことを特徴とする請求項１３又は１４に記載の画像形成装置。
【請求項１６】
複数の印刷関連機能を有する画像形成装置の制御方法であって、
前記複数の印刷関連機能から機能を選択するためのユーザの指示をユーザから受け付ける第１の受付工程と、
前記ユーザの指示を受け付けた後に前記ユーザのログイン処理を実行し、前記ログイン処理の結果に基づいて前記ユーザへ前記選択された機能の使用を許可する許可工程と、
前記複数の印刷関連機能のうち前記ログイン処理を必要としない機能の設定のための信号を受け付ける第２の受付工程と、
を有することを特徴とする制御方法。